(57)【要約】【課題】宙づりになった場合でも消防レスキューが現場に到着し救出されるまでの間、作業者の身体に掛かる負担を軽減し延命が可能な墜落防止用安全帯を提供すること。【解決手段】墜落防止用安全帯は、作業者の腰に装着するための胴ベルトと、第一端部と第二端部とを有し前記第一端部側が前記胴ベルトに装着されたロープ又はストラップと、前記ロープ又はストラップの第二端部側に装着されたフックとを備えるランヤードと、前記ランヤードに連結されており、前記作業者が足を引っ掛けられるように構成された足掛け用輪体と、を備える。【選択図】図１
2017074161.tif 000002
【特許請求の範囲】
【請求項１】
作業者の腰に装着するための胴ベルトと、
第一端部と第二端部とを有し前記第一端部側が前記胴ベルトに装着されたロープ又はストラップと、前記ロープ又はストラップの第二端部側に装着されたフックとを備えるランヤードと、
前記ランヤードに連結されており、前記作業者が足を引っ掛けられるように構成された足掛け用輪体と、
を備えることを特徴とする墜落防止用安全帯。
【請求項２】
前記胴ベルトに装着された固定部材をさらに備え、
前記ランヤードと前記足掛け用輪体とは、いずれも前記固定部材に連結されている
ことを特徴とする請求項１に記載の墜落防止用安全帯。
【請求項３】
前記足掛け用輪体を収容する収容部を有する収容体であって、前記収容体を前記胴ベルトに装着するための装着部を有する収容体を備え、
前記収容体は、前記装着部に所定の荷重が掛かった場合に、前記装着部が前記胴ベルトから分離されるとともに前記収容部に収容された前記足掛け用輪体が前記収容部の外部に飛び出すように構成されている
ことを特徴とする請求項１に記載の墜落防止用安全帯。
【請求項４】
作業者の腰に装着するための胴ベルトと、
第一端部と第二端部とを有し前記第一端部側が前記胴ベルトに連結されたロープ又はストラップと、前記ロープ又はストラップの第二端部側に装着されたフックとを備えるランヤードと、
前記胴ベルトに装着された固定部材と、
第三端部と第四端部とを有し、前記第三端部側が前記ランヤードに連結されており、前記第四端部側を前記固定部材に固定することにより前記作業者が足を引っ掛けるための足掛け用輪体を構成可能な長尺体と、
を備えることを特徴とする墜落防止用安全帯。
【請求項５】
前記長尺体を収容する収容部を有する収容体であって、前記収容体を前記胴ベルトに装着するための装着部を有する収容体を備え、
前記長尺体は、前記収容体に、外部から引き出し可能な状態で収容されている
ことを特徴とする請求項４に記載の墜落防止用安全帯。
【請求項６】
作業者の腰に装着するための胴ベルトと、
第一端部と第二端部とを有し前記第一端部側が前記胴ベルトに装着されたロープ又はストラップと、前記ロープ又はストラップの第二端部側に装着されたグリップとを備える固定具と、
前記固定具に連結されており、前記作業者が足を引っ掛けられるように構成された足掛け用輪体と、
を備えることを特徴とする墜落防止用安全帯。
【発明の詳細な説明】
【技術分野】
【０００１】
本発明は、墜落防止用安全帯に関するものである。
【背景技術】
【０００２】
従来、高所での作業を行う際に、作業者が墜落防止のために装着する墜落防止用安全帯（以下、単に安全帯と記載する場合がある）が開示されている（特許文献１〜３参照）。安全帯の一種に、胴ベルト型と呼ばれる安全帯がある。胴ベルト型の安全帯は、基本的な構成として、作業者の腰に装着するための胴ベルトと、ロープ又はストラップの一端にフックが装着されて構成されるランヤードとを備えている。
【０００３】
ランヤードのロープ又はストラップの他の一端は胴ベルトに連結している。作業者は、胴ベルト型の安全帯を腰に装着し、高所での作業時には、フックを、対象物（高所に掛け渡された単管もしくは親綱、または建物の構造物のことであり、以下、取付設備と記載する）に引っ掛けた後に作業を行う。これにより、仮に作業者が足場から足を踏み外し落下したりしても、作業者の身体は安全帯により吊り下げられた状態となるので、地面等への激突が防止される。
【先行技術文献】
【特許文献】
【０００４】
【特許文献１】特開平９−１４０８１５号公報
【特許文献２】実用新案登録第３０７７５０９号公報
【特許文献３】特開２０１３−１６２８１１号公報
【発明の概要】
【発明が解決しようとする課題】
【０００５】
しかしながら、胴ベルト型安全帯は、墜落時に７ＫＮ以上の衝撃荷重を腹部に受けることから内臓損傷の可能性が高い。さらに作業者が宙づりとなった場合、腹部には約５ｃｍの幅の胴ベルトに全体重と携帯した工具等の重量とが掛かることとなる。そのため、他の作業員による救出や自力脱出ができないと、消防レスキューによる救出までの間、耐え難い苦痛を受け、腹部圧迫のため呼吸困難となる可能性がある。なお、消防レスキューが現場到着に要する時間は約１０分、救出には２０分以上要するといわれている。
【０００６】
本発明は、上記に鑑みてなされたものであって、宙づりになった場合でも消防レスキューが現場に到着し救出されるまでの間、作業者の身体に掛かる負担を軽減し延命が可能な墜落防止用安全帯を提供することを目的とする。
【課題を解決するための手段】
【０００７】
上述した課題を解決し、目的を達成するために、本発明に係る墜落防止用安全帯では、
（１）作業者の腰に装着するための胴ベルトと、第一端部と第二端部とを有し前記第一端部側が前記胴ベルトに装着されたロープ又はストラップと、前記ロープ又はストラップの第二端部側に装着されたフックとを備えるランヤードと、前記ランヤードに連結されており、前記作業者が足を引っ掛けられるように構成された足掛け用輪体と、を備えることを特徴とする。
【０００８】
（２）また、上記（１）の墜落防止用安全帯において、前記胴ベルトに装着された固定部材をさらに備え、前記ランヤードと前記足掛け用輪体とは、いずれも前記固定部材に連結されていることが好ましい。
【０００９】
（３）また、上記（１）の墜落防止用安全帯において、前記足掛け用輪体を収容する収容部を有する収容体であって、前記収容体を前記胴ベルトに装着するための装着部を有する収容体を備え、前記収容体は、前記装着部に所定の荷重が掛かった場合に、前記装着部が前記胴ベルトから分離されるとともに前記収容部に収容された前記足掛け用輪体が前記収容部の外部に飛び出すように構成されていることが好ましい。
【００１０】
本発明に係る墜落防止用安全帯では、
（４）作業者の腰に装着するための胴ベルトと、第一端部と第二端部とを有し前記第一端部側が前記胴ベルトに連結されたロープ又はストラップと、前記ロープ又はストラップの第二端部側に装着されたフックとを備えるランヤードと、前記胴ベルトに装着された固定部材と、第三端部と第四端部とを有し、前記第三端部側が前記ランヤードに連結されており、前記第四端部側を前記固定部材に固定することにより前記作業者が足を引っ掛けるための足掛け用輪体を構成可能な長尺体と、を備えることを特徴とする。
【００１１】
（５）また、上記（４）の墜落防止用安全帯において、前記長尺体を収容する収容部を有する収容体であって、前記収容体を前記胴ベルトに装着するための装着部を有する収容体を備え、前記長尺体は、前記収容体に、外部から引き出し可能な状態で収容されていることが好ましい。
【００１２】
本発明に係る墜落防止用安全帯では、
（６）作業者の腰に装着するための胴ベルトと、第一端部と第二端部とを有し前記第一端部側が前記胴ベルトに装着されたロープ又はストラップと、前記ロープ又はストラップの第二端部側に装着されたグリップとを備える固定具と、前記固定具に連結されており、前記作業者が足を引っ掛けられるように構成された足掛け用輪体と、を備えることを特徴とする。
【発明の効果】
【００１３】
本発明によれば、宙づりになった場合でも、作業者が足掛け用輪体に足を引っ掛けることにより垂直に立つことが出来、作業者の腹部に掛かる荷重の一部を足で分散できるため、作業者の腹部に掛かる加重分担を軽減し、呼吸困難になりにくいという効果を奏する。
【図面の簡単な説明】
【００１４】
【図１】図１は、実施形態１に係る安全帯の模式図である。
【図２】図２は、作業者が宙づりになった状態を示す図である。
【図３】図３は、作業者が足掛け用輪体に足を引っ掛けている状態を示す図である。
【図４】図４は、実施形態２に係る安全帯の模式図である。
【図５】図５は、図４に示す安全帯をより詳細に説明する図である。
【図６】図６は、実施形態３に係る安全帯を説明する図である。
【図７】図７は、実施形態４に係る安全帯の模式図である。
【発明を実施するための形態】
【００１５】
以下に、図面を参照して本発明に係る墜落防止用安全帯の実施形態を詳細に説明する。なお、この実施形態によりこの発明が限定されるものではない。また、各図面において、同一または対応する要素には適宜同一の符号を付している。
【００１６】
（実施形態１）
図１は、実施形態１に係る安全帯の模式図である。図１に示す安全帯１は、胴ベルト２と、ランヤード３と、収納袋５と、固定部材６と、留め具７と、足掛け用輪体８とを備えている。
【００１７】
胴ベルト２は、作業者が安全帯１を腰に装着するためのものであり、ベルト本体２ａと、先端止め２ｂと、バックル２ｃと、ベルト通し２ｄとを備えている。作業者は、ベルト本体２ａをバックル２ｃに通して固定し、安全帯１を自分の腰に装着することができる。
【００１８】
胴ベルト２には、固定部材６が留め具７により装着されている。固定部材６はたとえばＤ環とも呼ばれる環状の部材である。
ランヤード３は、ロープ３ａとフック３ｂとからなる。ロープ３ａは第一端部３ａａと第二端部３ａｂとを有し、第一端部３ａａ側が固定部材６を介して胴ベルト２に装着されている。
フック３ｂは、ロープ３ａの第二端部３ａｂ側に装着されている。フック３ｂは、安全帯１を装着した作業者が、高所での作業時に取付設備に引っ掛けるためのものである。
収納袋５は、未使用時にランヤード３等を収納するための袋である。
【００１９】
足掛け用輪体８は、輪状のものであり、固定部材６を介して胴ベルト２に連結されている。足掛け用輪体８としては、たとえばストラップ、ロープ、またはワイヤーを輪状にしたものなどを使用することができる。これにより、足掛け用輪体８は、固定部材６を介してランヤード３とも連結されている。足掛け用輪体８は、後述するように、安全帯１を装着した作業者が足を引っ掛けられるように構成されている。足掛け用輪体８は、作業者の身長にもよるが、接続した環から足元までの長さで１２０〜１５０ｃｍである。ここで、長さとは、足掛け用輪体８を引っ張ったときの長さであり、換言すれば周長の半分の値である。また、足掛け用輪体８は、作業者の体重＋携帯している工具等の重量で破断しないだけの強度を持ち、取り回し性も考慮して材質と太さが選定される。材質としては、ナイロン、ポリエチレン、ポリプロピレン、ポリエステル、ビニロン、スチール、綿、麻等、通常ロープとして使用される材料であれば特に限定はされない。
【００２０】
上述したように、この安全帯１は、作業者が腰に装着し、高所での作業時にはフック３ｂを取付設備に引っ掛けて、作業を行うために使用される。
【００２１】
つぎに、安全帯１を装着して高所での作業を行っている作業者が足場から足を踏み外し、宙づりになった状態になったときの、足掛け用輪体８の使用方法について説明する。図２は、作業者が宙づりになった状態を示す図である。図３は、作業者が足掛け用輪体に足を引っ掛けている状態を示す図である。
【００２２】
図２に示すように作業者Ｏが取付設備等Ｓ（図２では単管）にフック３ｂにより宙づりになった状態では、安全帯１の幅が５ｃｍ程度の胴ベルト２に作業者Ｏの腹部に全体重及び携帯している工具等の重量が掛かることとなり、作業者Ｏには耐え難い大きな身体的な負担が掛かる。
【００２３】
そこで、作業者Ｏは、図３に示すように、安全帯１が備える足掛け用輪体８に足を引っ掛けることにより垂直に立つことができ、作業者Ｏの腹部に掛かる荷重の一部を足で分散できるので、作業者Ｏの腹部に掛かる負担を軽減できる。なお、安全帯１の胴ベルト２には、固定部材６以外にもＤ環のような固定部材が装着されている場合があるが、作業者Ｏの腰部に掛かる荷重の一部を効果的に足で分担するためには、図１のようにランヤード３が連結された固定部材６に足掛け用輪体８が連結されている、すなわちランヤード３と足掛け用輪体８とがいずれも同じ固定部材６に連結されている必要がある。
【００２４】
また、作業者Ｏが足掛け用輪体８に足を引っ掛けて踏み上がりやすいように、作業者Ｏが起立した状態のときに足掛け用輪体８の下端が作業者Ｏの足先より１０ｃｍ程度上方に位置するように、作業前に足掛け用輪体８の長さを調整しておくことが好ましい。また、作業者Ｏは宙づりの状態において、足掛け用輪体８に結び目を形成するなどしてその長さの調整を行ってもよい。
【００２５】
また、図２の場合、作業者Ｏの姿勢は「へ」の字状態になり、頭部が身体より下方に位置しやすくなることから頭部がうっ血し意識不明になる時間が早まるおそれがある。しかし、図３のように足掛け用輪体８に足を引っ掛けることにより作業者Ｏは垂直に立つことができ、頭部を身体の上方に位置させることが容易にできるので、作業者Ｏの頭部がうっ血するのを防ぐことができ、意識不明になることを軽減できる。
【００２６】
以上説明したように、本実施形態１に係る安全帯１によれば、宙づり状態における作業者の身体に掛かる負担を軽減できる。
【００２７】
（実施形態２）
図４は、実施形態２に係る安全帯の模式図である。図５は、図４に示す安全帯をより詳細に説明する図である。図５（ａ）は図４を矢印Ａの向きに見た図であり、図５（ｂ）は図５（ａ）を矢印Ｂの向きに見た図である。
【００２８】
図４、５に示す安全帯１Ａは、胴ベルト２と、ランヤード３Ａと、収納袋５と、留め具７Ａと、足掛け用輪体８Ａと、巻取器９と、環状部材１０と、ショックアブソーバ１１と、収容体１２と、を備えている。胴ベルト２および収納袋５については、実施形態１に係る安全帯１と同様のものであるので、重複説明を省略する。
【００２９】
ランヤード３Ａは、ストラップ３Ａａとフック３Ａｂとからなる。ストラップ３Ａａは第一端部３Ａａａと第二端部３Ａａｂとを有し、第一端部３Ａａａ側が留め具７Ａを介して胴ベルト２に装着されている。ストラップ３Ａａの第二端部３Ａａｂ側にはフック３Ａｂが装着されている。
【００３０】
安全帯１Ａでは、ランヤード３Ａのストラップ３Ａａは、巻取器９により巻き取られている。巻取器９は、うずまきバネを備えたリール機構を内蔵している。これにより、ランヤード３Ａのストラップ３Ａａは、巻取器９から引き出すことによりその引き出し長を長くすることができ、また巻取器９の巻取釦を押して巻き取ることでその引き出し長を短くすることができる。
【００３１】
環状部材１０は、巻取器９に回動可能に軸支されている。環状部材１０は、たとえば昇降作業の際に昇降移動用のフックを引っ掛けるために用いられる。
【００３２】
また、安全帯１Ａでは、ランヤード３Ａのストラップ３Ａａは、ショックアブソーバ１１にその長さの一部が予備長として折り畳まれて収容されている。折り畳まれて収容された帯状のストラップは後述するように、作業者の落下の衝撃を緩和する機能として作用する。
【００３３】
巻取器９には収容体１２が一体的に設けられている。収容体１２は、足掛け用輪体８Ａを収容する収容部１２ａと、収容体１２を胴ベルト２に装着するための２つの装着部１２ｂとを有する。
【００３４】
まず、足掛け用輪体８Ａについて説明する。足掛け用輪体８Ａは、足掛け用輪体８と同様に輪状のものであり、収容体１２および巻取器９を介してランヤード３Ａに連結されている。足掛け用輪体８Ａとしては、足掛け用輪体８と同様にたとえばストラップ、ロープ、またはワイヤーを輪状にしたものなどを使用することができる。
【００３５】
収容部１２ａは足掛け用輪体８Ａを折り畳んだ状態や巻いた状態で収容している。なお、収容部１２ａの巻取器９とは反対側（胴ベルト２側）は開口している。装着部１２ｂは胴ベルト２の幅方向で胴ベルト２を囲むように設けられている。なお、装着部１２ｂは巻取器９を胴ベルト２に装着するための機能も有している。
【００３６】
この安全帯１Ａを装着して高所での作業を行っている作業者が足場から足を踏み外し、宙づりになった状態について説明する。作業者が足場から足を踏み外して落下すると、ランヤード３Ａには例えば７ＫＮ以上の荷重が掛かる。このとき、収容体１２および巻取器９を胴ベルト２に装着している装着部１２ｂにも所定の荷重が掛かる。すると、装着部１２ｂが荷重により破壊され、収容体１２の装着部１２ｂが胴ベルト２から分離される。すると、収容部１２ａに収容された足掛け用輪体８Ａが収容部１２ａの開口から外部に飛び出す。その後、宙づりになった作業者は、外部に飛び出した足掛け用輪体８Ａに足を引っ掛けることにより、作業者の腹部に掛かる荷重の一部を足で分散させ、腹部に掛かる負担を軽減できる。上記効果を奏するため、装着部１２ｂは、作業者の落下時には破壊するようにその材質やサイズが設定されている。
【００３７】
なお、落下時には、収容体１２の装着部１２ｂが胴ベルト２から分離されるが、これとともに巻取器９も胴ベルト２から分離される。このとき、ショックアブソーバ１１に折り畳まれて収容されている帯状のストラップが落下の衝撃により引き出され、作業者の落下の衝撃を緩和する。
【００３８】
以上説明したように、本実施形態２に係る安全帯１Ａによれば、宙づり状態における作業者の身体に掛かる負担を軽減できるとともに、足掛け用輪体８Ａは普段は収容されているため、作業の邪魔になるおそれがない。
【００３９】
（実施形態３）
図６は、実施形態３に係る安全帯を説明する図である。図６に示す安全帯１Ｂは、実施形態１の安全帯１において、ランヤード３を、単体で衝撃を吸収する機能を持つ延びのあるストラップ３Ｂａを有する３Ｂに置き換え、かつ足掛け用輪体８を、足掛け用輪体を構成可能な長尺体１３に置き換えた構成を備える。さらに、安全帯１Ｂは、収容体１２Ｂを備えている。
【００４０】
長尺体１３は、撚り線で構成されたワイヤーからなり、第三端部１３ａと第四端部１３ｂとを有する。長尺体１３はロープやスリングなどで構成されていてもよい。長尺体１３の第三端部１３ａ側は、胴ベルト２に装着された固定部材６を介して胴ベルト２に装着されている。一方、長尺体１３の第四端部１３ｂ側にはフック１３ｃが装着されている。また、ランヤード３Ｂのストラップ３Ｂａの第一端部３Ｂａａ側は、固定部材６を介して胴ベルト２に装着されている。これにより、長尺体１３は、固定部材６を介してランヤード３Ｂのストラップ３Ｂａとも連結されている。また、実施形態１と同様に、ランヤード３Ｂのストラップ３Ｂａの第二端部側にはフックが装着されている。
【００４１】
収容体１２Ｂは、長尺体１３の第三端部１３ａ側および第四端部１３ｂ側以外の大部分の長さを収容する収容部１２Ｂａと、収容体１２Ｂを胴ベルト２に装着するための装着部１２Ｂｂとを有する。収容部１２Ｂａは長尺体１３を折り畳んだ状態や巻いた状態で収容している。また、長尺体１３は、第四端部１３ｂ側の一部およびフック１３ｃが収容体１２Ｂから突出しており、フック１３ｃを引っ張ることで外部から引き出し可能な状態で収容体１２Ｂに収容されている。
【００４２】
ここで、長尺体１３は、収容体１２Ｂから引き出し、フック１３ｃを固定部材６に引っ掛けて固定することにより、安全帯１Ｂを装着した作業者が足を引っ掛けるための足掛け用輪体を構成可能である。したがって、この安全帯１Ｂを装着して高所での作業を行っている作業者が足場から足を踏み外し、宙づりになった場合、作業者は長尺体１３を収容体１２Ｂから引き出し、フック１３ｃを固定部材６に引っ掛けて固定することにより、足掛け用輪体を構成することができる。その後、宙づりになった作業者は、構成した足掛け用輪体に足を引っ掛けることにより、作業者の腹部に掛かる荷重の一部を足で分散させ、身体に掛かる負担を軽減できる。
【００４３】
なお、長尺体１３の第四端部１３ｂ側には必ずしもフック１３ｃのような固定治具が装着されている必要は無く、固定治具が装着されていない場合は、第四端部１３ｂを固定部材６に結びつけることにより、足掛け用輪体を構成することができる。
【００４４】
以上説明したように、本実施形態３に係る安全帯１Ｂによれば、宙づり状態における作業者の腹部に掛かる負担を軽減できるとともに、足掛け用輪体を構成するための長尺体１３は普段は収容されているため、作業の邪魔になるおそれがない。
【００４５】
なお、上記実施形態３では、足掛け用輪体を構成可能な長尺体１３を収容体１２Ｂに収容しているが、長尺体１３の代わりに実施形態１のような足掛け用輪体８を収容するようにしてもよい。また、実施形態１、２において、足掛け用輪体８、８Ａに代えて足掛け用輪体を構成可能な長尺体を用いてもよい。
【００４６】
また、上記各実施形態に係る安全帯は１つのランヤードを備えるものであるが、２つのランヤードを備えるようにしてもよい。たとえば実施の形態１に係る安全帯１を例に説明すると、もう一つのランヤードは、胴ベルト２において固定部材６から離間した位置に固定部材６とは別に設けられたもう一つの固定部材に装着されている。このように２つのランヤードを備える安全帯であれば、これを装着した作業者は、高所で作業場所を移動する際は、２つのランヤードのフックを取付設備に交互に引っ掛けたり取り外したりしながら移動を行えるので、移動中は常に少なくとも一方のランヤードのフックを取付設備に引っ掛けた状態とできる。したがって、容易且つ安全に移動を行うことができる。
【００４７】
（実施形態４）
図７は、実施形態４に係る安全帯の模式図である。図７に示す安全帯１Ｃは、図１に示す安全帯１に固定具３Ｃを加えたものである。固定具３Ｃは、ロープ３ａとグリップ３Ｃｂとフック３Ｃｃとからなる。グリップ３Ｃｂは、固定具３Ｃのロープ３ａの第二端部３ａｂ側に装着されている。フック３Ｃｃは、固定具３Ｃのロープ３ａの第一端部３ａａ側に装着され、また、固定金具６を介して胴ベルト２に装着されている。グリップ３Ｃｂは、たとえば取付設備Ｓであって、建物の屋上部から壁沿いに垂らされたロープである親綱を把持できるように構成されている。安全帯１Ｃを装着した作業者は、作業の進展に伴ってグリップ３Ｃｂにより親綱を把持する位置をずらしていく。これにより、作業者は上下方向に移動して作業を行うことができる。なお、固定具３Ｃにおいてロープ３ａの代わりにストラップを用いてもよい。
【００４８】
この安全帯１Ｃを装着した作業者が宙づりになった場合にも、安全帯１Ｃが備える足掛け用輪体８に足を引っ掛けることにより垂直に立つことができ、作業者の腹部に掛かる荷重の一部を足で分散できるので、作業者の腹部に掛かる負担を軽減できる。
【００４９】
なお、安全帯１Ｃにおいて、足掛け用輪体８が取り付けられる場所は、固定部材６に限られない。たとえば、固定具３Ｃのロープ３ａの第二端部３ａｂが装着されているグリップ３Ｃｂの環状の部分に、足掛け用輪体８が取り付けられていてもよい。
【００５０】
また、上記実施形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施形態に限定されるものではなく、様々な変更が可能である。
【符号の説明】
【００５１】
１、１Ａ、１Ｂ、１Ｃ  安全帯
２  胴ベルト
２ａ  ベルト本体
２ｂ  先端止め
２ｃ  バックル
２ｄ  ベルト通し
３、３Ａ、３Ｂ  ランヤード
３ａ  ロープ
３ａａ、３Ａａａ、３Ｂａａ  第一端部
３ａｂ、３Ａａｂ  第二端部
３Ａａ、３Ｂａ  ストラップ
３ｂ、３Ａｂ、１３ｃ、３Ｃｃ  フック
３Ｃ  固定具
３Ｃｂ  グリップ
５  収納袋
６  固定部材
７、７Ａ  留め具
８、８Ａ  足掛け用輪体
９  巻取器
１０  環状部材
１１  予備長収容部
１２、１２Ｂ  収容体
１２ａ、１２Ｂａ  収容部
１２ｂ、１２Ｂｂ  装着部
１３  長尺体
１３ａ  第三端部
１３ｂ  第四端部
Ｏ  作業者
Ｓ  取付設備
【図１】
2017074161.tif 000003
【図２】
2017074161.tif 000004
【図３】
2017074161.tif 000005
【図４】
2017074161.tif 000006
【図５】
2017074161.tif 000007
【図６】
2017074161.tif 000008
【図７】
2017074161.tif 000009